(57)【要約】【課題】ガバナロープの引上げ時に、ガバナロープが綱車溝芯から外れることを防ぐことのできるエレベーター用調速機のガバナロープ引上げ装置の提供。【解決手段】昇降路内の支持体２に設置された調速機１本体に回転自在に取付けられる綱車３から、この綱車３に架け渡されたガバナロープ４を浮き上がらせるエレベーター用調速機のガバナロープ引上げ装置において、ガバナロープ４の一方側を把持するロープ把持部６と、綱車３を介してガバナロープ４の他方側を固定するロープ固定部７と、支持体２に支持されるとともに、ロープ把持部６をガバナロープ４に沿って懸垂方向に案内するガイド部５と、所定の長さを有しロープ把持部６とガイド部５の間に挿入され、梃子を利用してロープ把持部６を引上げるロープ引上げ体８と、ロープ把持部６とガイド部５の間に挟み込まれロープ把持部６の引上げ状態を保持するロープ保持体９とを備えた構成としてある。【選択図】図１
2006124069.tif 000002
【特許請求の範囲】
【請求項１】
昇降路内の支持体に設置された調速機本体に回転自在に取付けられる綱車から、この綱車に架け渡されたガバナロープを浮き上がらせるエレベーター用調速機のガバナロープ引上げ装置において、
前記ガバナロープの一方側を把持するロープ把持部と、前記綱車を介して前記ガバナロープの他方側を固定するロープ固定部と、前記支持体に支持されるとともに、前記ロープ把持部を前記ガバナロープに沿って懸垂方向に案内するガイド部と、所定の長さを有し前記ロープ把持部と前記ガイド部の間に挿入され、梃子を利用して前記ロープ把持部を引上げるロープ引上げ体と、前記ロープ把持部と前記ガイド部の間に挟み込まれ前記ロープ把持部の引上げ状態を保持するロープ保持体とを備えたことを特徴とするエレベーター用調速機のガバナロープ引上げ装置。
【請求項２】
前記ガイド部は、前記ガバナロープの両側に配設され、ロープ把持部を案内する所定長さの２本のガイドピンと、これらのガイドピンを支持するとともに前記支持体に支持されるベースとから成っていることを特徴とする請求項１記載のエレベーター用調速機のガバナロープ引上げ装置。
【請求項３】
前記ロープ把持部は、前記ガイドピンが挿通されるガイド用孔を有することを特徴とする請求項２記載のエレベーター用調速機のガバナロープ引上げ装置。
【発明の詳細な説明】
【技術分野】
【０００１】
本発明は、エレベーター用調速機のガバナロープ引上げ装置に係り、特に、調速機の作動速度試験時に綱車からガバナロープを浮き上がらせるエレベーター用調速機のガバナロープ引上げ装置に関する。
【背景技術】
【０００２】
従来のガバナロープ引上げ装置にあっては、調速機の作動速度試験時に、ロープ把持部(ロープ掴み)とＬ字形のロープ引上げ部(ロープ引上げレバー)により綱車に架け渡されたガバナロープを前記綱車の両側で把持し、前記ロープ引上げ部を長手端が立った状態で前記ロープ掴み下方に設置した後、前記長手端を引倒し、短手端を起立させることで前記綱車から前記ガバナロープを浮き上がらせていた（例えば、特許文献１参照）。
【特許文献１】特開２００３−５４８５２号公報(段落番号００３１〜００５２、第１図、第１０図)
【発明の開示】
【発明が解決しようとする課題】
【０００３】
ところで従来のガバナロープ引上げ装置では、ロープ把持部及びロープ引上げ部はガバナロープの懸垂方向にあってガイドされていないため、前記ガバナロープを引上げる時、前記ロープ把持部及び前記ロープ引上げ部が意図しない方向に移動し綱車の溝芯から前記ガバナロープが外れてしまう可能性があった。このため、ロープ外れに気が付かないまま前記ガバナロープ引上げ状態を解除し、調速機を損傷してしまう危険があった。
【０００４】
本発明は、前述した実状に鑑みてなされたもので、その目的は、ガバナロープの引上げ時に、ガバナロープが綱車溝芯から外れることを防ぐことのできるエレベーター用調速機のガバナロープ引上げ装置を提供するにある。
【課題を解決するための手段】
【０００５】
本発明は前記目的を達成するために、昇降路内の支持体に設置された調速機本体に回転自在に取付けられる綱車から、この綱車に架け渡されたガバナロープを浮き上がらせるエレベーター用調速機のガバナロープ引上げ装置において、前記ガバナロープの一方側を把持するロープ把持部と、前記綱車を介して前記ガバナロープの他方側を固定するロープ固定部と、前記支持体に支持されるとともに、前記ロープ把持部を前記ガバナロープに沿って懸垂方向に案内するガイド部と、所定の長さを有し前記ロープ把持部と前記ガイド部の間に挿入され、梃子を利用して前記ロープ把持部を引上げるロープ引上げ体と、前記ロープ把持部と前記ガイド部の間に挟み込まれ前記ロープ把持部の引上げ状態を保持するロープ保持体を備えて構成したことを特徴とする。
【０００６】
前記のように構成した本発明では、ロープ把持部によりガバナロープの一方側が把持されるとともに、ロープ固定部によりガバナロープの他方側が固定され、かつ、ガイド部が支持体に取付けられる。この状態でロープ引上げ体がロープ把持部とガイド部の間に挿入され梃子を利用してロープ把持部を引上げるが、このときロープ把持部はガイド部によりガバナロープに沿って懸垂方向に案内される。そして、所定寸法ロープ把持部が引上げられた後、ロープ保持体がロープ把持部とガイド部の間に挟み込まれロープ把持部の引上げ状態を保持する。このように、ロープ把持部はガイド部によりガバナロープに沿って懸垂方向に案内されて変位することから、ガバナロープ引上げ時に、ガバナロープが綱車溝芯から外れることを防ぐことができる。
【発明の効果】
【０００７】
本発明によれば、ロープ把持部はガイド部によりガバナロープに沿って懸垂方向に案内されて変位することから、ガバナロープ引上げ時に、ガバナロープが綱車溝芯から外れることを防ぐことができ、これによって、エレベーター調速機の作動速度試験を安全かつ容易に行うことができる。
【発明を実施するための最良の形態】
【０００８】
以下、本発明のエレベーター用調速機のガバナロープ引上げ装置に係る一実施の形態を図に基づき説明する。
【０００９】
図１は本発明のエレベーター用調速機のガバナロープ引上げ装置の一実施形態を示す正面図、図２は図１の要部側面図、図３はガイド部の形状及び構成を示す斜視図、図４はロープ把持部の形状及び構成を示す斜視図、図５はロープ固定部の形状及び構成を示す斜視図、図６はロープ引上げ部のガバナロープ引上げ前の設置状態を示す側面図、図７はロープ保持部の形状を示す斜視図である。
【００１０】
図１において、調速機１は昇降路内の支持体２に固定され，調速機１の本体には綱車３が回転自在に取付けられている。綱車３にはガバナロープ４が架け渡されており、このガバナロープ４が本実施形態によるガバナロープ引上げ装置により引上げられることによって自由に回転できる状態となる。
【００１１】
まず本発明によるガバナロープ引上げ装置は図１と図２に示すように、ガイド部５、ロープ把持部６、ロープ固定部７、ロープ引上げ体８およびロープ保持体９の５つの部材で構成されている。
【００１２】
次に、各部材の詳細について図３〜図７を用いて説明する。
【００１３】
ガイド部５は図３に示すように、ガバナロープ４ａの両側に配設され、ロープ把持部６を案内する所定長さの２本のガイドピン５ａと、これらのガイドピン５ａを支持するとともに調速機１が設置される支持体２にボルト１１を介して取付けられるベース５ｂとから成っている。なお、作業時間短縮のためにこのガイド部５を支持体２へ常時取付けしておくことも可能である。
【００１４】
ロープ把持部６は図４に示すように、ガバナロープ４を把持する本体６ａ、挟圧体６ｂ及びボルト１０と、ガイドピン５ａが挿通される２つのガイド用孔６ｃとで構成されている。２個のガイド用孔６ｃをそれぞれガイド部５の２本のガイドピン５ａに挿入しベース５ｂ上に載せた後、本体６ａと挟圧体６ｂとでガバナロープ４の引上げ側ロープ４ａを挟込み、ボルト１０を締付け把持する。前述したガイド部５の２本のガイドピン５ａとロープ把持部６の２個のガイド孔６ｃにより、ロープ把持部６をガバナロープ４の両側でガイドするため、ロープ把持部６をスムーズにガバナロープ４の懸垂方向に移動させることが可能になる。
【００１５】
ロープ固定部７は図５に示すように、ガバナロープ４を把持するための本体６ａ、挟圧体６ｂ及びボルト１０と、自身を調速機１に固定するためのフック部７ｃとで構成されている。滑車３のロープ把持部６と反対側で調速機１に移動しないようにフック部７ｃを調速機１に係合させ、ロープ把持部６と同様にロープ固定部７の本体７aと挟圧体７ｂとでガバナロープ４の固定側ロープ４ｂを挟込み、ボルト１０を締付けて固定する。これによりロープ把持部６によりガバナロープ４を滑車３から浮き上げる際、ガバナロープ４が固定側ロープ４ｂ方向へ移動することを防止する。
【００１６】
ロープ引上げ体８は図６に示すように、所定の長さがある丸棒状のもので、ロープ把持部６の下方からガイド部５のベース５ｂ上に一端を載せた後、他端を引上げることにより、梃子を利用してロープ把持部６をガバナロープ４の懸垂方向に移動させる。
【００１７】
ロープ保持体９は図７に示すように、略Ｊ字形状をしており、ロープ把持部６を上方に移動させた状態でガイド部５のベース５ｂとロープ把持部６の間でＵ字部９ａをガイドピン５aに掛けるように取付けた後、ロープ保持体９上にロープ把持部６を載せガバナロープ４を滑車３から浮き上がらせた状態を保持する。
【００１８】
本実施形態によれば、ロープ把持部６はガイド部５によりガバナロープ４に沿って懸垂方向に案内されて変位することから、ガバナロープ４引上げ時に、ガバナロープ４が綱車３の溝芯から外れることを防ぐことができる。
【００１９】
尚、ロープ引上げ体８にあって、長さの異なるものを使用することでロープ把持部６を上方に移動させる際の必要な力を調整することが可能になる。また、ロープ保持体９の高さ寸法を変えることで、調速機１や作業の種類が異なる場合でもガバナロープ４の引上げ量も任意に設定可能になる。
【図面の簡単な説明】
【００２０】
【図１】本発明のエレベーター用調速機のガバナロープ引上げ装置の一実施形態を示す正面図である。
【図２】図１の要部側面図である。
【図３】ガイド部の形状及び構成を示す斜視図である。
【図４】ロープ把持部の形状及び構成を示す斜視図である。
【図５】ロープ固定部の形状及び構成を示す斜視図である。
【図６】ロープ引上げ部のガバナロープ引上げ前の設置状態を示す側面図である。
【図７】ロープ保持部の形状を示す斜視図である。
【符号の説明】
【００２１】
１    調速機
２    支持体
３    滑車
４    ガバナロープ
４ａ  引上げ側ロープ
４ｂ  固定側ロープ
５    ガイド部
５ａ  ガイドピン
５ｂ  ベース
６    ロープ把持部
６ａ  本体
６ｂ  挟圧体
６ｃ  ガイド用孔
７    ロープ固定部
７ａ  本体
７ｂ  挟圧体
８    ロープ引上げ体
９    ロープ保持体
９ａ  Ｕ字部
【図１】
2006124069.tif 000003
【図２】
2006124069.tif 000004
【図３】
2006124069.tif 000005
【図４】
2006124069.tif 000006
【図５】
2006124069.tif 000007
【図６】
2006124069.tif 000008
【図７】
2006124069.tif 000009